(57)【要約】【課題】水配管１１に装着される凍結防止装置１であって、水配管に接続される筒状の本体２と、本体内に設けられた水配管に連通する流入室４と、上端に流入室に連通する弁口５１を有し、弁口から下方にのびる本体内の排水通路５と、排水通路を囲う本体内の筒状の作動室６と、作動室を上方から封止すると共に、弁口を上方から閉塞可能な弁体７と、弁体を下方の閉じ側に付勢するバネ８とを備え、作動室内の水が凍結膨張し、この膨張圧力で弁体がバネの付勢力に抗して上方の開き側に移動して、水配管内の水が流入室から弁口と排水通路とを介して排出されるようにしたものにおいて、作動室の解凍を促進して水配管からの水の排出量を減少できるようにする。【解決手段】弁体が上方の開き側に移動したとき、弁口が開かれると共に、弁体による作動室の封止が解除されて、水配管内の水が流入室を介して上方から作動室に流入する。【選択図】図２
2015209680.tif 000002
【特許請求の範囲】
【請求項１】
水配管に装着され、水配管内の水の凍結を防止する凍結防止装置であって、
上端部が水配管に接続される筒状の本体と、本体内に設けられた水配管に連通する流入室と、上端に流入室に連通する弁口を有し、弁口から下方にのびる本体内の排水通路と、排水通路を囲う本体内の筒状の作動室と、作動室を上方から封止すると共に、弁口を上方から閉塞可能な弁体と、弁体を下方の閉じ側に付勢するバネとを備え、
作動室内の水が凍結膨張し、この膨張圧力で弁体がバネの付勢力に抗して上方の開き側に移動して、水配管内の水が流入室から弁口と排水通路とを介して排出されるようにしたものにおいて、
弁体が上方の開き側に移動したとき、弁口が開かれると共に、弁体による作動室の封止が解除されて、水配管内の水が流入室を介して上方から作動室に流入することを特徴とする凍結防止装置。
【発明の詳細な説明】
【技術分野】
【０００１】
本発明は、水配管に装着され、水配管内の水の凍結を防止する凍結防止装置に関する。
【背景技術】
【０００２】
従来、この種の凍結防止装置として、上端部が水配管に接続される筒状の本体と、本体内に設けられた水配管に連通する流入室と、上端に流入室に連通する弁口を有し、弁口から下方にのびる本体内の排水通路と、排水通路を囲う本体内の筒状の作動室と、作動室を上方から封止すると共に、弁口を上方から閉塞可能な弁体と、弁体を下方の閉じ側に付勢するバネとを備え、作動室内の水が凍結膨張し、この膨張圧力で弁体がバネの付勢力に抗して上方の開き側に移動して、水配管内の水が流入室から弁口と排水通路とを介して排出されるようにしたものが知られている（例えば、特許文献１参照）。
【０００３】
これによれば、気温が０℃以下になると、作動室内の水の保有熱が外に放出されて、作動室内の水が凍結膨張する。そして、弁体が上方の開き側に移動して弁口が開かれ、水配管内の水が流入室から弁口と排水通路とを介して排出されて、水の流通を促すことで水配管内の水の凍結を防止する。これと共に、排水通路を流れる水の保有熱が作動室内の氷に伝わり、解凍される。そして、作動室内の氷の解凍収縮により、弁体が下方の閉じ側に移動して弁口が閉塞され、水配管内の水の排出が止められる。
【０００４】
然し、上記従来例のものでは、排水通路を流れる水で作動室内の氷を解凍させる他なく、解凍するのに時間がかかって、水配管からの水の排出量が増加してしまう。
【先行技術文献】
【特許文献】
【０００５】
【特許文献１】特許第３９８３１１８号公報
【発明の概要】
【発明が解決しようとする課題】
【０００６】
本発明は、以上の点に鑑み、作動室の解凍を促進して、水配管からの水の排出量を減少できるようにした凍結防止装置を提供することをその課題としている。
【課題を解決するための手段】
【０００７】
上記課題を解決するために、本発明は、水配管に装着され、水配管内の水の凍結を防止する凍結防止装置であって、上端部が水配管に接続される筒状の本体と、本体内に設けられた水配管に連通する流入室と、上端に流入室に連通する弁口を有し、弁口から下方にのびる本体内の排水通路と、排水通路を囲う本体内の筒状の作動室と、作動室を上方から封止すると共に、弁口を上方から閉塞可能な弁体と、弁体を下方の閉じ側に付勢するバネとを備え、作動室内の水が凍結膨張し、この膨張圧力で弁体がバネの付勢力に抗して上方の開き側に移動して、水配管内の水が流入室から弁口と排水通路とを介して排出されるようにしたものにおいて、弁体が上方の開き側に移動したとき、弁口が開かれると共に、弁体による作動室の封止が解除されて、水配管内の水が流入室を介して上方から作動室に流入することを特徴とする。
【０００８】
本発明によれば、排水通路を流れる水で作動室内の氷を解凍させると共に、水配管内の水が流入室を介して上方から作動室に流入して、作動室内の氷を直接解凍させる。そのため、作動室内の氷を早く解凍して、水配管からの水の排出量を減少できる。尚、作動室の封止解除は、弁口が開かれるのと同時になされるだけでなく、弁口が開かれた後になされてもよい。
【図面の簡単な説明】
【０００９】
【図１】本発明の実施形態の凍結防止装置の作動室が封止されると共に弁口が閉塞された状態を示す断面図。
【図２】実施形態の凍結防止装置の弁口が開かれると共に作動室の封止が解除された状態を示す断面図。
【発明を実施するための形態】
【００１０】
図１及び図２を参照して、１は、水配管１１に装着され、水配管１１内の水の凍結を防止する本発明の実施形態の凍結防止装置を示している。水配管１１は、例えば水道管や貯水タンク等に接続されており、常時給水圧が作用している。また、凍結防止装置１は、水配管１１の途中に介設するＴ形継手１２に上端部が接続される筒状の本体２を備えている。本体２内には、インサート３が挿入されている。インサート３は、その下端に設けられたフランジ３１が本体２の下端に当接すると共に、フランジ３１の上方に設けられた嵌合部３２が本体２の内周面に嵌合して、本体２内に固定されている。本体２とインサート３との間は、Ｏリング３３でシール性を確保している。また、インサート３が設けられている部分以外の本体２の内部空間は、水配管１１に連通する流入室４を構成する。
【００１１】
インサート３は、嵌合部３２から上方にのびる内外２重の筒部３４，３５を有している。内筒部３４の上端には、流入室４に連通する弁口５１が形成されており、内筒部３４の内部に、弁口５１から下方にのび嵌合部３２を貫通する排水通路５を形成している。また、内筒部３４と外筒部３５との間に、排水通路５を囲う筒状の作動室６を形成すると共に、外筒部３５の下端部に、作動室６を流入室４と連通する連通孔６１を形成している。
【００１２】
凍結防止装置１は、更に、作動室６を上方から封止すると共に、弁口５１を上方から閉塞可能な弁体７を備えている。弁体７は、上板部７１と、上板部７１から下方にのびて内筒部３４に外嵌する筒部７２とを有している。筒部７２の下端部外周面にはＯリング７３が装着されており、このＯリング７３が外筒部３５の上端部に着座して、作動室６が封止される。また、上板部７１の下面には弁パッキン７４が装着されており、この弁パッキン７４が内筒部３４の上端に着座して、弁口５１を上方から閉塞する。また、本体２の上端部と弁体７との間にバネ８を縮設して、弁体７を下方の閉じ側に付勢している。
【００１３】
ここで、弁体７の筒部７２と内筒部３４との間には微小隙間があり、流入室４からの水が連通孔６１から作動室６に流入したとき、作動室６内の空気が前記微小隙間を介して脱気されて、作動室６が水で満たされる。また、筒部７２には流入室４に連通するに排出孔７５が形成されている。
【００１４】
以上の構成によれば、気温が０℃以下になると、作動室６内の水の保有熱が外に放出されて、作動室６内の水が凍結膨張する。そして、弁体７が上方の開き側に移動して弁口５１が開かれ、水配管１１内の水が流入室４から排出孔７５と弁口５１と排水通路５とを介して排出されて、水の流通を促すことで水配管１１内の水の凍結を防止する。これと共に、作動室６の凍結の影響を受けていない水配管１１内の比較的温度が高い水が排水通路５を流れ、この水の保有熱が作動室６内の氷に伝わり、解凍される。そして、作動室６内の氷の解凍収縮により、弁体７が下方の閉じ側に移動して弁口５１が閉塞され、水配管１１内の水の排出が止められる。
【００１５】
尚、インサート３を熱伝導性の良い金属製のものとすることで、作動室６内の水が凍結するときに、連通孔６１が孔内の水の凍結で早期に閉塞され、また、筒部７２と内筒部３４との微小隙間も当該隙間での凍結で早期に閉塞される。従って、作動室６内の水の凍結膨張による膨張圧力がこれら連通孔６１や微小隙間から漏れることはなく、弁体７が確実に上方に移動する。
【００１６】
然し、排水通路５を流れる水で作動室６内の氷を解凍させるだけでは、解凍するのに時間がかかって、給水圧が作用した状態では、水配管１１からの水の排出量が増加してしまう。
【００１７】
そこで、本実施形態では、弁体７が上方の開き側に移動したとき、図２に示すように、弁口５１が開かれると共に、Ｏリング７３が外筒部３５の上端から離れて弁体７による作動室６の封止が解除されて、水配管１１内の水が流入室４を介して上方から作動室６に流入するようにしている。
【００１８】
これによれば、排水通路５を流れる水で作動室６内の氷を解凍させると共に、作動室６の凍結の影響を受けていない水配管１１内の比較的温度が高い水が流入室４を介して上方から作動室６に流入して、作動室６内の氷を直接解凍させる。そのため、作動室６内の氷を早く解凍して、水配管１１からの水の排出量を減少できる。
【００１９】
以上、本発明の実施形態について図面を参照して説明したが、本発明はこれに限定されない。例えば、上記実施形態では、弁口５１が開かれるのと同時に作動室６の封止が解除されるようにしているが、弁口５１が開かれ、弁体７が弁口５１から所定ストローク離れた後に作動室６の封止が解除されるようにしてもよい。
【００２０】
また、上記実施形態では、内筒部３４と外筒部３５との間に作動室６を画成しているが、外筒部３５を省略し、内筒部３４と本体２との間に作動室を画成してもよい。この場合、本体２の外周に、流入室４及び作動室と連通する通路を設けて、この通路を介して流入室４からの水を作動室に流入させるようにすればよい。
【符号の説明】
【００２１】
１…凍結防止装置、１１…水配管、２…本体、４…流入室、５１…弁口、５…排水通路、６…作動室、７…弁体、８…バネ。
【図１】
2015209680.tif 000003
【図２】
2015209680.tif 000004